(57)【要約】【課題】  本発明は地図上の特定位置や経路の表示データを属性情報と状況情報に基づいて作成する表示データ作成装置に関し、特に状況に従って店舗や経路の選択を適切に行うことができる表示データ作成装置を提供するものである。【解決手段】  本発明は条件作成部において状況データに従って判定条件を作成し、該判定条件に基づいて店舗の属性データを判定し、例えば時間帯によって店舗に色を付し、又は店舗を濃い色で表示する。また、状況データに従った最適な経路を選択する為、状況データを評価し、経路選択を行う。【選択図】図２
2006285297.tif 000002
【特許請求の範囲】
【請求項１】
地図情報を記憶する地図情報記憶手段と、
前記地図の特定位置の属性情報を記憶する属性情報記憶手段と、
該属性情報と状況情報に基づいて判定条件を作成する条件作成手段と、
該判定条件に従って前記属性情報の判定を行い、該判定結果に基づいて前記特定位置の表示データを作成する表示データ作成手段と、
を有することを特徴とする表示データ作成装置。
【請求項２】
前記特定位置は地図上の店舗であり、前記属性情報記憶手段には該店舗の属性情報が記憶され、前記表示データ作成手段は前記店舗の表示色を前記判定条件によって変えることを特徴とする請求項１記載の表示データ作成装置。
【請求項３】
前記特定位置は地図上の店舗であり、前記属性情報記憶手段には該店舗の属性情報が記憶され、前記表示データ作成手段は前記店舗の表示方法を前記判定条件によって変えることを特徴とする請求項１記載の表示データ作成装置。
【請求項４】
地図情報を記憶する地図情報記憶手段と、
前記地図上の経路の属性情報を記憶する属性情報記憶手段と、
前記情報に基づいて特定経路の検索を行い、該検索結果の集計を行う検索／集計手段と、
該集計結果と状況情報に基づいて前記特定経路の評価を行い、最適の経路を選択する評価／選択手段と、
該評価／選択手段によって選択された経路の表示データを作成する表示データ作成手段と、
を有することを特徴とする表示データ作成装置。
【請求項５】
前記特定経路は地図上の道路であり、前記属性情報記憶手段には該道路の属性情報が記憶され、前記表示データ作成手段は前記評価／選択手段によって選択された道路の表示色を変えることを特徴とする請求項４記載の表示データ作成装置。  
【請求項６】
前記特定経路は地図上の道路であり、前記属性情報記憶手段には該道路の属性情報が記憶され、前記表示データ作成手段は前記評価／選択手段によって選択された道路の表示方法を変えることを特徴とする請求項４記載の表示データ作成装置。
【発明の詳細な説明】
【技術分野】
【０００１】
本発明は、地図上の特定位置や経路の表示データを属性情報と状況情報に基づいて作成する表示データ作成装置に関する。
【背景技術】
【０００２】
今日、インターネットを利用してパーソナルコンピュータ（ＰＣ）のディスプレイに地図情報を表示し、店舗や公園等の情報を付加情報を含めて表示する技術が開示されている。例えば、特許文献１には、不動産物件の位置と物件情報を提供するウェブサイトにおいて、表示された地図内にある不動産物件の情報を情報閲覧者に提供するシステムが開示されている。
【特許文献１】特開２００４−１７１０７９号公報
【発明の開示】
【発明が解決しようとする課題】
【０００３】
しかしながら、従来の地図上での情報の表示方法では、物件や店舗、公園等の地図情報に、間取りや家賃などの物件情報、営業時間や連絡先などの契約した店舗の情報を表示するものであり、地図の表示内容を時間や季節、天候、性別等の状況データによって変更するものではない。したがって、従来の表示データ作成装置では、利用者が店舗や経路を選択する際、状況に従った適切な選択を行うことができなかった。
【０００４】
そこで、本発明は状況に従って店舗や経路の選択を適切に行うことができる表示データ作成装置を提供するものである。
【課題を解決するための手段】
【０００５】
上記課題は本発明によれば、地図情報を記憶する地図情報記憶手段と、前記地図の特定位置の属性情報を記憶する属性情報記憶手段と、該属性情報と状況情報に基づいて判定条件を作成する条件作成手段と、該判定条件に従って前記属性情報の判定を行い、該判定結果に基づいて前記特定位置の表示データを作成する表示データ作成手段とを有する表示データ作成装置を提供することによって達成できる。
【０００６】
このように構成することにより、時間や季節、天候、性別等の状況に応じた情報を地図から得ることができる。
ここで、前記特定位置は、例えば地図上の店舗であり、前記属性情報記憶手段には該店舗の属性情報が記憶され、前記表示データ作成手段は前記店舗の表示色を前記判定条件によって変える構成である。このように構成することにより、店舗の開店時間に合わせて、当該地図上の店舗の表示を変え、ビジュアルに店舗の開店を利用者に知らせることができる。
【０００７】
また、前記特定位置は地図上の店舗であり、前記属性情報記憶手段には該店舗の属性情報が記憶され、前記表示データ作成手段は前記店舗の表示方法を前記判定条件によって変える構成である。このように構成することにより、例えば店舗の開店時間に合わせて、当該地図上の店舗の表示を所定周期で変え、ビジュアルに店舗の開店を利用者に知らせることができる。
【０００８】
上記課題は本発明によれば、地図情報を記憶する地図情報記憶手段と、前記地図上の経路の属性情報を記憶する属性情報記憶手段と、前記情報に基づいて特定経路の検索を行い、該検索結果の集計を行う検索／集計手段と、該集計結果と状況情報に基づいて前記特定経路の評価を行い、最適の経路を選択する評価／選択手段と、該評価／選択手段によって選択された経路の表示データを作成する表示データ作成手段とを有する表示データ作成装置を提供することによって達成できる。
【０００９】
また、前記特定経路は地図上の道路であり、前記属性情報記憶手段には該道路の属性情報が記憶され、前記表示データ作成手段は前記評価／選択手段によって選択された道路の表示色を変える構成である。このように構成することにより、例えば属性情報として性別と時間を評価し、女性にとって安全な道を地図上に色を変えて表示することができる。
【００１０】
また、前記特定経路は地図上の道路であり、前記属性情報記憶手段には該道路の属性情報が記憶され、前記表示データ作成手段は前記評価／選択手段によって選択された道路の表示方法を変える構成である。このように構成することにより、例えば地図上の当該道の表示を周期的に変え、安全な道をビジュアルに表示することができる。
【発明の効果】
【００１１】
上記課題は本発明によれば、時間や季節、天候、性別等の状況に応じた情報を地図から得ることができる。また、例えば店舗の開店時間に合わせて、当該地図上の店舗の表示を変え、ビジュアルに店舗の開店を利用者に知らせることができる。さらに、例えば属性情報として性別と時間を評価し、暗い道を歩く経路として、街灯が設けられた道を地図上に色を変えて表示することができる。
【発明を実施するための最良の形態】
【００１２】
以下、本発明の実施形態について、図面を参照して詳細に説明する。
（実施形態１）
図１は、本実施形態を説明する表示データ作成装置のシステム構成図である。同図において、地図形状データ１は不図示の記憶部から供給され、表示データ作成部２に出力される。地図形状データ１には店舗情報や公園、建物等の情報、道路や鉄道等の経路情報が含まれている。
【００１３】
また、構成要素属性データ３は前述の記憶部から供給され、表示データ作成部２に出力される。構成要素属性データ３には、例えば店舗の開店時間や閉店時間、メニュー情報等が含まれている。
【００１４】
さらに、状況データ４は記憶部から供給され、又は利用者のキー入力部から入力され、表示データ作成部２に出力される。状況データ４には、例えば時間や季節、天候、性別等の状況に応じた情報が含まれている。
【００１５】
表示データ作成部２は、上記地図形状データ１、構成要素属性データ３、及び状況データ４に基づいて表示データを作成する。
図２は上記表示データ作成部２の機能ブロック図である。表示データ作成部２は条件作成部６、条件判定部７、色変換部８、及び重ね合わせ部９で構成され、前述の各種データに基づいて、例えば店舗の表示データを作成する。以下、具体例を示して本例の処理を説明する。
【００１６】
図３は、地図上の特定位置Ａ〜Ｃにある店舗であり、位置Ａにはイタリアンレストラン１０があり、位置Ｂには居酒屋１１があり、位置Ｃにはフレンチレストラン１２がある。また、各店舗１０〜１２には属性情報がリンクされている。例えば、イタリアンレストラン１０の場合、属性情報として開店時間１０：００、閉店時間２０：００の情報がリンク先のメモリに記憶されている。また、居酒屋１１の場合、属性情報として開店時間１２：００、閉店時間２３：００の情報がリンク先のメモリに記憶されている。さらに、フレンチレストラン１２の場合、属性情報として開店時間１１：００、閉店時間２２：００の情報がリンク先のメモリに記憶されている。
【００１７】
上記構成において、午後１０時以降にこの地域の地図を表示すると、状況データ４として、例えば現在時刻１０：２０の情報が条件作成部６に供給される。この場合、条件作成部６では、「現在時刻が開店時間内であるか」という条件を作成する。条件判定部７は、条件作成部６が作成した上記条件に基づいて、各店舗のリンク先アドレスを検索し、各店舗の属性情報に基づいて上記条件に合致する店舗の判定を行う。
【００１８】
例えば、上記例では午後１０時以降開いている店舗は、居酒屋１１のみであり、前述の図３に示す位置Ｂを濃い色で表示する。また、他の色で表示する構成としてもよい。さらに、色が周期的に変化する構成としてもよい。
【００１９】
以上のように、本例によれば状況データ４として現在時刻を使用し店舗の開店状態を地図上にビジュアルに表示することで、利用者に便利な表示データ作成装置を提供するものである。
【００２０】
尚、上記説明では現在時刻を状況情報として使用し、開店している店舗を表示する例を説明したが、上記例に限るものではない。例えば、季節のデータを状況情報として使用し、桜の名所である公園を４月初旬に桜色に表示してもよい。また、同様に季節のデータを状況情報として使用し、紅葉の名所を１０月〜１１月に黄色や赤色に表示してもよい。
【００２１】
（実施形態２）
次に、本発明の実施形態２について説明する。
本実施形態は、地図上の経路を選択して状況情報に対応した最適な経路を色変換して表示する構成である。以下、具体的に説明する。
【００２２】
図４は本例のシステム構成を説明する図である。前述と同様、地図形状データ２１は不図示の記憶部から供給され、本例では条件経路検索部２２に出力される。また、地図形状データ１には地図上の店舗情報や公園、建物等の情報、道路や鉄道等の経路情報等の情報が含まれている。
【００２３】
また、構成要素属性データ２３は前述の記憶部から供給され、条件経路検索部２２に出力される。構成要素属性データ２３には、後述する道路の長さ情報や、街灯の有無の情報等が含まれている。さらに、状況データ２４には、例えば時間や、天候、性別等の状況情報が含まれており、条件経路検索部２２に出力される。
【００２４】
図５は上記構成において、条件経路検索部２２の機能ブロック図を示す。本例の条件経路検索部２２は経路検索部２６、集計部２７、評価選択部２８、及び重ね合わせ部２９で構成され、前述の各種データに基づいて、例えば経路データを生成する。以下、具体例を示して本例の処理を説明する。
【００２５】
図６は、地図上の位置ＸからＹに至るまでの経路を示す。尚、経路Ａ〜Ｆは道路であり（以下、道路Ａ〜Ｆで示す）、各道路には属性データがリンク先メモリに記憶されている。すなわち、道路Ａ〜Ｆには長さ及び街灯の有無を示す属性情報が記憶されている。
【００２６】
例えば、道路Ａには属性情報Ａが記憶され、道路の長さが１５０ｍであり、街灯無しの属性情報が記憶されている。また、道路Ｂには属性情報Ｂが記憶され、道路の長さが１００ｍであり、街灯有りの属性情報が記憶されている。以下、同様に同図に示すデータがリンク先のメモリに記憶されている。
【００２７】
上記構成において、例えば女性が位置ＸからＹに帰る経路を探す場合について説明する。この場合、状況データ２４として、「夜である」及び「女性である」という状況情報が指定される。
【００２８】
先ず、経路検索部２６は上記位置ＸからＹに至るまでの経路を検索する。この場合、位置ＸからＹに至るまでの経路として、以下の３つの経路が検索される。すなわち、図７に示す経路１〜経路３であり、経路１は道路ＡとＥを使用し、経路２は道路ＢとＣとＥを使用し、経路３は道路ＢとＤとＦを使用する。
【００２９】
次に、集計部２７は上記検索結果を集計処理し、例えばそれぞれの経路の距離を集計する。また、各経路の街灯の有無も認識する。
次に、評価選択部２８では、状況データに基づいて上記集計データを評価する。上記例では、状況データ２４として、「夜である」及び「女性である」という状況情報が指定されており、この状況データに基づいて集計データを評価する。この場合、経路の長さは、経路１が最も短く、状況データが昼間であれば経路１が選択される。しかし、状況データが「夜であり」、「女性である」ので、街灯が設けられた経路３が選択される。尚、状況データが男であれば、この場合でも経路１が選択される。
【００３０】
このようにして選択された経路３の情報は重ね合わせ部２９に送信され、重ね合わせ部２９において地図形状データ２１に合成される。この場合、図６に示す経路３（道路Ｂ−Ｄ−Ｆ）を濃い色で表示する。また、前述のように色が周期的に変化する構成としてもよい。
【００３１】
以上のように、本例においても、状況データ４に対応して選択された経路を地図上にビジュアルに表示することで、利用者に便利な表示データ作成装置を提供することができる。
【００３２】
尚、上記説明では一般道路を経路検索の対象としたが、一般道路に限らず、高速道路や鉄道経路等を経路検索の対象とする構成としてもよい。また、状況データも上記例に限るものではない。
【図面の簡単な説明】
【００３３】
【図１】実施形態１を説明する表示データ作成装置のシステム構成図である。
【図２】表示データ作成部の機能ブロック図である。
【図３】地図上の店舗の位置を説明する図である。
【図４】実施形態２を説明する表示データ作成装置のシステム構成図である。
【図５】表示データ作成部の機能ブロック図である。
【図６】地図上の位置ＸからＹに至るまでの経路を示す図である。
【図７】実施形態２の集計データの例を示す図である。
【符号の説明】
【００３４】
１  地図形状データ
２  表示データ作成部
３  構成要素属性データ
４  状況データ
５  表示部
６  条件作成部
７  条件判定部
８  色変換部
９  重ね合わせ部
１０  イタリアンレストラン
１１  居酒屋
１２  フレンチレストラン
２１  地図形状データ
２２  条件経路検索部
２３  構成要素属性データ
２４  状況データ
２５  表示部
２６  経路検索部
２７  集計部
２８  評価選択部
２９  重ね合わせ部
【図１】
2006285297.tif 000003
【図２】
2006285297.tif 000004
【図３】
2006285297.tif 000005
【図４】
2006285297.tif 000006
【図５】
2006285297.tif 000007
【図６】
2006285297.tif 000008
【図７】
2006285297.tif 000009